(57)【要約】      （修正有）【課題】コピーワンスの精神を守りつつ、他の機器にコンテンツのコピーをする。【解決手段】コピーアットワンス制限のかかっているコンテンツ１を受信・取得し、これをＨＤＤ７に記録し、携帯用コンテンツ再生機器１７用にフォーマット変換したコンテンツを、ブリッジメディア１１を介して携帯用コンテンツ再生機器１７にコピーにより記録する。この際、ブリッジメディア１１に記録したコンテンツから、暗号化キー１５を作成し、この暗号化キー１５を利用して記録再生装置５に記録されたオリジナルのコンテンツ１ａを暗号化し暗号化コンテンツ３を作成する。オリジナルのコンテンツ１ａは削除される。【選択図】図１
2007128278.tif 000002
【特許請求の範囲】
【請求項１】
第１の機器と第２の機器との間においてブリッジメディアによりコピーアットワンスの制限が付されたコンテンツ（以下コンテンツと称する。）のやり取りを行なうコンテンツ管理方法であって、
前記第１の機器においてコンテンツデータを記憶するステップと、
該コンテンツデータを前記第１の機器において前記第２の機器において再生可能な形式にフォーマット変換し、変換したコンテンツデータをブリッジメディアにコピーするステップと、
前記変換したコンテンツデータに基づいて暗号化キーを生成するステップと、
生成した前記暗号化キーにより前記第１の機器に記憶されているコンテンツデータを暗号化して暗号化コンテンツデータを生成し、元のコンテンツデータを削除するステップと
を有することを特徴とするコンテンツ管理方法。
【請求項２】
前記変換したコンテンツデータに基づいて復号キーを生成するステップと、
該復号キーにより前記暗号化コンテンツデータを復号するステップと
を有することを特徴とする請求項１に記載のコンテンツ管理方法。
【請求項３】
第１の機器と第２の機器とを接続することにより、コピーアットワンスの制限が付されたコンテンツのやり取りを行うコンテンツ管理方法であって、
前記第１の機器においてコンテンツデータを記憶するステップと、
該コンテンツデータを前記第１の機器において前記第２の機器において再生可能な形式にフォーマット変換し、変換したコンテンツデータを前記第２の機器の記憶部にコピーするステップと、
前記変換したコンテンツデータに基づいて暗号化キーを生成するステップと、
生成した前記暗号化キーにより前記第１の機器に記憶されているコンテンツデータを暗号化して暗号化コンテンツデータを生成し、元のコンテンツデータを削除するステップと
を有することを特徴とするコンテンツ管理方法。
【請求項４】
前記変換したコンテンツデータに基づいて復号キーを生成し、前記変換されたコンテンツデータを削除するステップと、
該復号キーにより前記暗号化コンテンツデータを復号化し、元の暗号化されたコンテンツデータを削除するステップと
を有することを特徴とする請求項３に記載のコンテンツ管理方法。
【請求項５】
第１の機器と第２の機器とを接続することにより、コピーアットワンスの制限が付されたコンテンツのやり取りを行うコンテンツ管理方法であって、
前記第１の機器においてコンテンツデータを記憶するステップと、
該コンテンツデータを前記第１の機器において前記第２の機器において再生可能な形式にフォーマット変換し、変換したコンテンツデータを前記第２の機器の記憶部にコピーするステップと、
前記第２の機器に固有のデータに基づいて暗号化キーを生成するステップと、
生成した前記暗号化キーにより前記第１の機器に記憶されているコンテンツデータを暗号化して暗号化コンテンツデータを生成し、元のコンテンツデータを削除するステップと
を有することを特徴とするコンテンツ管理方法。
【請求項６】
前記固有のデータに基づいて復号キーを生成し、前記変換されたコンテンツデータを削除するステップと、
該復号キーにより前記暗号化コンテンツデータを復号化し、元の暗号化されたコンテンツデータを削除するステップと
を有することを特徴とする請求項５に記載のコンテンツ管理方法。
【請求項７】
第１の機器と第２の機器とを接続することにより、コピーアットワンスの制限が付されたコンテンツのやり取りを行うコンテンツ管理方法であって、
前記第１の機器においてコンテンツデータを記憶するステップと、
該コンテンツデータを前記第１の機器において前記第２の機器において再生可能な形式にフォーマット変換し、変換したコンテンツデータを前記第２の機器の記憶部にコピーするステップと、
前記第１の機器において暗号化キー/復号キーを生成するステップと、
生成した前記暗号化キーにより前記第１の機器に記憶されているコンテンツデータを暗号化して暗号化コンテンツデータを生成し、元のコンテンツデータを削除するとともに、前記復号キーを前記第２の機器にムーブし、前記暗号化キーを削除するステップと
を有することを特徴とするコンテンツ管理方法。
【請求項８】
前記復号キーを前記第１の機器にムーブするステップと、
該復号キーにより前記暗号化コンテンツデータを復号化し、元の暗号化されたコンテンツデータを削除するステップと
を有することを特徴とする請求項７に記載のコンテンツ管理方法。
【請求項９】
第１の機器と第２の機器との間においてブリッジメディアによりコピーアットワンスの制限が付されたコンテンツ（以下「コンテンツ」と称する。）のやり取りを行なうコンテンツ管理システムであって、
前記第１の機器に設けられ、
コンテンツデータを記憶する第１記憶部と、
該コンテンツデータを前記第２の機器において再生可能な形式にコンテンツデータをフォーマット変換する変換部と、
変換したコンテンツデータをブリッジメディアにコピーするコピー処理部と、
前記変換したコンテンツデータに基づいて暗号化キーを生成する暗号化キー作成部と、
生成した前記暗号化キーにより前記第１の機器に記憶されているコンテンツデータを暗号化して暗号化コンテンツデータを生成し、元のコンテンツデータを削除する第１処理部と
を有することを特徴とするコンテンツ管理システム。
【請求項１０】
前記変換したコンテンツデータに基づいて復号キーを生成する復号キー作成部と、
該復号キーにより前記暗号化コンテンツデータを復号する第２処理部と
を有することを特徴とする請求項９に記載のコンテンツ管理方法。
【請求項１１】
第１の機器と第２の機器とを接続することにより、コピーアットワンスの制限が付されたコンテンツのやり取りを行うコンテンツシステムであって、
コンテンツデータを記憶する記憶部と、
該コンテンツデータを前記第２の機器において再生可能な形式にフォーマット変換する変換部と、
変換したコンテンツデータを前記第２の機器の記憶部にコピーするコピー処理部と、
前記変換したコンテンツデータに基づいて暗号化キーを生成する暗号キー生成部と、
生成した前記暗号化キーにより前記第１の機器に記憶されているコンテンツデータを暗号化して暗号化コンテンツデータを生成し、元のコンテンツデータを削除する第１処理部と
を有することを特徴とするコンテンツ管理システム。
【請求項１２】
前記変換したコンテンツデータに基づいて復号キーを生成する復号キー作成部と、
前記変換されたコンテンツデータを削除し、該復号キーにより前記暗号化コンテンツデータを復号し、元の暗号化されたコンテンツデータを削除する第２処理部と
を有することを特徴とする請求項１１に記載のコンテンツ管理システム。
【請求項１３】
第１の機器と第２の機器とを接続することにより、コピーアットワンスの制限が付されたコンテンツのやり取りを行うコンテンツ管理システムであって、
コンテンツデータを記憶する記憶部と、
該コンテンツデータを前記第２の機器において再生可能な形式にフォーマット変換する変換部と、
変換したコンテンツデータを前記第２の機器の記憶部にコピーするコピー処理部と、
前記第２の機器に固有のデータに基づいて暗号化キーを生成する暗号キー生成部と、
生成した前記暗号化キーにより前記第１の機器に記憶されているコンテンツデータを暗号化して暗号化コンテンツデータを生成し、元のコンテンツデータを削除する第１処理部と
を有することを特徴とするコンテンツ管理システム。
【請求項１４】
前記固有のデータに基づいて復号キーを生成する復号キー生成部と、前記変換されたコンテンツデータを削除し、該復号キーにより前記暗号化コンテンツデータを復号し、元の暗号化のコンテンツデータを削除する第２処理部と
を有することを特徴とする請求項１３に記載のコンテンツ管理システム。
【請求項１５】
第１の機器と第２の機器とを接続することにより、コピーアットワンスの制限が付されたコンテンツのやり取りを行うコンテンツ管理システムであって、
コンテンツデータを記憶する記憶部と、
該コンテンツデータを前記第２の機器において再生可能な形式にフォーマット変換する変換部と、
変換したコンテンツデータを前記第２の機器の記憶部にコピーするコピー処理部と、
暗号化キー/復号キーを生成する暗号化キー/復号キー生成部と、
生成した前記暗号化キーにより前記第１の機器に記憶されているコンテンツデータを暗号化して暗号化コンテンツデータを生成し、元のコンテンツデータを削除するとともに、前記復号キーを前記第２の機器にムーブし、前記暗号化キーを削除する第１処理部と
を有することを特徴とするコンテンツ管理システム。
【請求項１６】
前記復号キーをムーブにより受け取り、該復号キーにより前記暗号化コンテンツデータを復号し、元の暗号化されたコンテンツデータを削除する第２処理部
を有することを特徴とする請求項１５に記載のコンテンツ管理システム。
【発明の詳細な説明】
【技術分野】
【０００１】
本発明は、コンテンツの管理技術に関し、より詳細には、デジタルコンテンツの複写に関する管理技術に関する。
【背景技術】
【０００２】
例えば、デジタル放送により送られてきたコンテンツは、一般的に一度だけそのコンテンツをコピーすることができる。従って、放送されたコンテンツをＨＤＤなどの記憶装置に一旦記録すると、その後はそのコンテンツを他の機器にコピーすることはできずムーブすることができるのみである。
【０００３】
コンテンツを管理するシステムにおける公知技術として、インターネット等を介して外部のライセンスサーバからコンテンツのライセンスキーを取得するもの（特許文献１）、１つ又は複数のライセンスを取得し、家庭内のライセンスサーバでそれを管理するもの（特許文献２）、家庭内においてある一定のIDを設定して、IDの管理を行い、そのIDが配布されたもののみコピーを許すもの（特許文献３）がある。
【０００４】
【特許文献１】特開2002-358387号公報
【特許文献２】特開2004-303111号公報
【特許文献３】特開2004-328517号公報
【発明の開示】
【発明が解決しようとする課題】
【０００５】
このように、従来の技術ではデジタル放送から記録したコンテンツはコピーすることができなく、ムーブすることしかできなかった。また、外部からライセンスキーを取得する方法はインターネットに接続しなければならない点、家庭内でライセンスサーバやID管理サーバを立ち上げなければならない点、ライセンスキーやＩＤの管理を行なわなければならない点など、複雑な処理が必要であるという問題点があった。
【０００６】
また、モバイル機器用のコンテンツを生成して、そのコンテンツから暗号化のキーを生成する方法は、モバイル機器にコンテンツを持ち出す度にモバイル用コンテンツをムーブしなければならない点、記録機器で再生させるためには、記録機器内の記録装置にオリジナルのコンテンツ（を暗号化したもの）と、モバイル用コンテンツの両方を保持しなければならない点、等の問題がある。
【０００７】
本発明は、デジタル放送のＤＲＭである、コピーワンスの精神を守りつつ、他の機器にコンテンツのコピーをすることを目的とする。
【課題を解決するための手段】
【０００８】
地上デジタル放送やBSデジタル放送では放送されるコンテンツに対し一度だけコピーすることが許される（コピーワンス）。従って、放送されたコンテンツは記録機器に記録すると、後はその記録機器からのムーブができるのみである。しかし、モバイル機器は機能が低いため、モバイル機器にコンテンツをムーブをするときはコンテンツの品質を落とさなければならない。そこで、このコピーワンスの精神を守りつつ、モバイル機器に記録したコンテンツを持ち出すことができるようにし、かつモバイル機器に保存されたコンテンツを削除した場合には、元の記録機器に保存された高品質のコンテンツを再生できるようにする。
【０００９】
モバイル機器用のコンテンツの記録をSDカードなどのブリッジメディアに記録する。モバイル機器で再生させるためには、モバイル用のコンテンツを記録したブリッジメディアをモバイル機器に挿入すればよい。これにより、記録機器から、モバイル機器に、モバイル用のコンテンツのムーブをする必要がなくなる。また、ブリッジメディアに記録されたモバイル機器用のコンテンツは、ブリッジメディアそのものが持っているDRM機能を使い、他の機器へのコピーができないようにするとこによって、イリーガルなコピーを防ぐことができる。
【００１０】
この特許では、デジタル放送から記録したコンテンツを、他の機器にコピーする際には、元の記録したコンテンツを暗号化して再生できないようにし、コピー先の機器にコピーしたコンテンツを削除したときに、暗号化されたコンテンツを復号化し、元の記録した機器でコンテンツの再生ができるようにする。その際、復号化する際のキーをコピー先の機器の固有ID、コピーしたコンテンツから生成したID、等を使用することもできる。また、コピーする際には、コピー先の機器に合わせてコンテンツのフォーマットを変換することもできる。
【発明の効果】
【００１１】
本発明によれば、デジタル放送のＤＲＭである、コピーワンスの精神を守りつつ、他の機器にコンテンツのコピーをすることができるという利点がある。また、モバイル機器では、大容量の記録装置を保持していないため、デジタル放送から送信され記録された高品質のコンテンツを、品質を落としてムーブする必要があった。そのため、コピーワンスの制限で一度ムーブしてしまうと高品質のコンテンツを元にもどすことができなかったが、本発明によりコンテンツを元に戻すことができるので、後になって元の高品質のコンテンツを楽しむことができるという利点がある。
【００１２】
また、モバイル機器用のコンテンツの記録をブリッジメディアにすることにより、モバイル機器へのコンテンツのムーブをする必要がなくなる、記録機器で再生する際に、元のコンテンツを暗号化したものと、モバイル機器用のコンテンツの両方を持たなくても済むなどの効果もある。
【発明を実施するための最良の形態】
【００１３】
以下、図面を参照しながら、本発明の実施の形態によるコンテンツ管理技術について図面を参照する。図１は本発明の第１の実施の形態によるコンテンツ管理技術の概要を示す図であり、放送されたコンテンツを記録機器に記録する時の処理の流れを概略的に示した図である。図２は、記録機器に記録されている暗号化されたコンテンツを再生する時の処理の流れ概略的に示した図である。図３は、モバイル用コンテンツが記録されたブリッジメディアをモバイル機器に挿入して再生する状況を示した図である。図４は、記録機器に記録されている暗号化されたコンテンツを再生しようとするが、ブリッジメディアが挿入されていないため再生できない状況を示した図である。
【００１４】
図１に示すように、本実施の形態によるコンテンツ管理システムには、放送コンテンツ１と、記録再生装置５とそれに含まれる例えばハードディスク装置（ＨＤＤ）などの記憶装置７と、携帯用コンテンツ再生機器１７と、記録再生装置５と携帯用コンテンツ再生機器１７との間でコンテンツの橋渡しを行う例えばメモリカードなどのブリッジメディア１１と、を有している。ブリッジメディア１１はＤＲＭ（Ｄｉｇｉｔａｌ  Ｗｒｉｔｅ  Ｍａｎａｇｅｍｅｎｔ）制御機能を有するため、一旦、ブリッジメディアにコピーすると、そこから再びコピーをすることができない。
【００１５】
そこで、図１に示すように、記録再生装置５が放送コンテンツ１であってコピーアットワンス制限のかかっているコンテンツを受信・取得し（１）、これをＨＤＤ７に記録し（２）、携帯用コンテンツ再生機器１７用にフォーマット変換したコンテンツ１５を、ブリッジメディア１１に記録する（３）。この際、ブリッジメディア１１に記録したコンテンツから、暗号化キー１５を作成し（４）、この暗号化キーを利用して記録再生装置５に記録されたオリジナルのコンテンツ１ａを暗号化し暗号化コンテンツ３を作成する（５）。オリジナルのコンテンツ１ａは削除される（６）。フォーマット変換されたコンテンツ１１が記録されたブリッジメディア１１を携帯用コンテンツ再生機器１７に挿入すれば、そのコンテンツを再生することができる。
【００１６】
図２に示すように、記録再生機器５に記録され、暗号化されたコンテンツ３を再生するときは、ブリッジメディア１１に記録されている携帯用コンテンツ再生機器１７用のコンテンツ１５から復号化のキーを生成し（１）、そのキーを利用して暗号化されているコンテンツ３を復号し（２）、復号されたコンテンツ１ｂを再生する。
【００１７】
図３に示すように、ブリッジメディア１１を携帯用コンテンツ再生機器１７に挿入すれば、そのコンテンツを携帯用コンテンツ再生機器１７で再生することができる（１）。尚、ブリッジメディア１１に記録された携帯用コンテンツ再生機器１７用のコンテンツ１５のコピーはブリッジメディア１１自身が持つＤＲＭ機能によりできないようにする。尚、ブリッジメディア１１としてはフラッシュメモリを利用したものや、記録可能なディスクなどを用いることができる。暗号化/復号化のための暗号システムとしては、共通鍵暗号方式や公開鍵暗号方式等の公知の技術を利用することができる。また、暗号化/複合化のためのキーとしてフォーマット変換されたコンテンツのハッシュ値などを利用することができる。
【００１８】
図４に示すように、記録再生機器５に記録されている暗号化されたコンテンツ３を再生しようとすると、ブリッジメディア１１が挿入されていないため復号キー１５ａを作成できず、暗号化コンテンツ３を復号して再生することはできない。
【００１９】
次に、処理の流れについて図面を参照しながら説明を行う。図１３は、記録されたコンテンツを暗号化しブリッジメディア１１に書き込む時の処理の流れを示すフローチャート図である。図１４は、暗号化され記録されたコンテンツを復号化し再生する時の処理の流れを示すフローチャート図である。まず処理を開始し（ステップＳ１：START）、ステップ２においてシステムでブリッジメディアは利用可能か否かを判断する。Ｎｏの場合には、ステップＳ１１に進みフラグを“０”にセットし、後述するステップＳ５に進む。Ｙｅｓの場合には、ステップＳ３に進み、ブリッジメディア１１のＤＲＭは利用可能か否かを判断する。Ｎｏの場合には、ステップＳ１１に進みフラグを“０”にセットし、後述するステップＳ５に進む。Ｙｅｓの場合には、ステップＳ４に進みフラグを“１”にセットする。ステップ次いで、ステップＳ５において、放送データを受信し、ステップＳ６において記録機器に放送データを記録する。
【００２０】
ステップＳ７において、フラグは“１”か否かを判断し、“１”の場合には（Ｙｅｓ）、ステップＳ１２において携帯用コンテンツ再生機器１７用にコンテンツのフォーマット変換を行い、ステップＳ１３においてブリッジメディア１１に携帯用コンテンツ再生機器１７用データを記録し、ステップＳ８に進む。フラグが“０”であれば、同じくステップＳ８に進む。ステップＳ８において、記録が終了かどうかを判定し、終了していなければ（Ｎ）ステップＳ５に戻る。Ｙであれば、ステップＳ９に進み、フラグが“１”であるか否かを判定する。フラグが“０”であれば処理を終了し（ＥＮＤ）、フラグが“１”であれば（Ｙ）、ステップＳ１４に進み、ブリッジメディアに記録されたコンテンツをコピー不可にし、ステップＳ１５において携帯用コンテンツ再生機器１７用コンテンツから暗号キーを生成し、ステップＳ１６において記録装置に記録されたコンテンツを暗号化し、ステップＳ１７において記録再生機器５に記録されているオリジナルコンテンツを削除し、処理を終了する（ＥＮＤ）。
【００２１】
図１４に示すように、ステップＳ２１において処理を開始し（ＳＴＡＲＴ）、ステップＳ２２においてコンテンツが暗号化されているか否かを判定する。コンテンツが暗号化されていない場合には（Ｎ）、ステップＳ３１に進み、ステップＳ３１においてコンテンツの全てのデータを取り出したか否かを判定する。全てのデータを取り出した場合には（Ｙ）ステップＳ３０において処理を終了する（ＥＮＤ）。Ｎの場合には、記録されたコンテンツデータを取り出し、ステップＳ３３において取り出したデータを再生し、ステップＳ３１に戻る。
【００２２】
ステップＳ２２でＹの場合には、ステップＳ２３に進み、ブリッジメディアは利用可能か否かを判定する。利用不可であれば（Ｎ）、ステップＳ３０に進む。利用可能であれば（Ｙ）、ステップＳ２４に進み、ブリッジメディアにはモバイル用のコンテンツが記録されているかを判断する。利用不可であれば（Ｎ）、ステップＳ３０に進む。利用可能であれば（Ｙ）、ステップＳ２５に進み、ブリッジメディアに記録されているコンテンツから
復号キーを生成する。次いでステップＳ２６に進み、暗号化されているコンテンツのすべてのデータを取り出したか否かを判定する。Ｙの場合には、ステップＳ３０に進む。Ｎの場合には、ステップＳ２７に進み、記録メディアに記録された暗号化されているコンテンツデータを取り出す。ステップＳ２８において記録メディアに記録されたコンテンツを復号する。ステップＳ２９において復号したデータを再生することができる。ステップＳ３０で処理を終了する。
【００２３】
次に、本発明の第２の実施の形態によるコンテンツ管理技術について図面を参照しながら説明を行う。
【００２４】
図５は、本発明の第２の実施の形態によるコンテンツ管理システムの一構成例を示す図である。本実施の形態においては、放送コンテンツ１と、記録再生装置５とそれに含まれる例えばハードディスク装置（ＨＤＤ）などの記憶装置７と、例えば内蔵ＨＤＤ装置などの記録装置２３を備える携帯用コンテンツ再生機器１７と、記録再生装置５と携帯用コンテンツ再生機器１７とを接続しデータのやり取りを可能にする接続ケーブルＬとを、有している。
【００２５】
上記システムにおいて、デジタル放送からコピーワンス制限のかかっているコンテンツ１を受信し（１）、記録再生機器５に記録する（２）。次いで、記録再生機器５に記録されたコンテンツ１を、例えば有線ケーブルＬを介して携帯用コンテンツ再生機器１７にコピーする（３）。その際、記録再生機器５に記録されているコンテンツ１aは暗号化され（５）、この暗号化コンテンツ３を復号のためのキー又はキーを生成するための情報２３は携帯用コンテンツ再生機器１７側に保存される。尚、記録再生機器５と携帯用コンテンツ再生機器１７とを接続するための手段は、ＵＳＢやｉＬＩＮＫなどの有線であっても良く、或いは、無線ＬＡＮやＢｌｕｅｔｏｏｔｈなどの無線であっても良い。携帯用コンテンツ再生機器１７にコンテンツをコピーする際には、携帯用コンテンツ再生機器１７に適合したフォーマットに変換してコピーすることも可能である（３）。例えば、ＭＰＥＧ２形式をＨ．２６４形式に変換する例が挙げられる。次いで、フォーマット変換されたコンテンツ２３に基づいて暗号化キーを作成する（４）。暗号化キーを利用してコンテンツ１aを暗号化して暗号化コンテンツ３を作成する（５）。この際、コンテンツ１aを削除する（６）。
【００２６】
暗号化/複合化するためのキーはフォーマット変換されたコンテンツのハッシュキー値などを利用することができる。また、暗号化/復号化のための暗号システムとしては、公知の共通鍵暗号方式や公開鍵暗号方式が使用できる。暗号化されたコンテンツを復号化する場合には、モバイル機器から復号キーを取り出して、復号する。
【００２７】
尚、記録再生機器５へのコンテンツの記録と、携帯用コンテンツ再生機器１７へのコンテンツのコピーとは時間的に連続していても良いし、時間的に離れていても良い。
【００２８】
図６は、携帯用コンテンツ再生機器１７に記録されたモバイル用コンテンツ２３を再生する状況を示した図である。図６に示すように、モバイル用コンテンツ２３は、フォーマット変換により再生可能な形式に変換されているため、特に問題なく再生することが可能である。図７は、記録再生機器５の記憶装置７内に格納されている暗号化コンテンツ３は暗号化されているため再生できない状況を示した図であり、記憶装置７内に復号キーが存在しないため復号ができない。
【００２９】
図８は、携帯用コンテンツ再生機器１７に記録されているコンテンツから復号キーを生成し、記録再生機器５に記録されている暗号化コンテンツ３を復号する際の処理の様子を示す図である。図８に示すように、携帯用コンテンツ再生機器１７の記憶装置２１から情報２３に基づいて復号キーが生成されると（１）。フォーマット変換されたコンテンツ２３は削除される（２）。記録再生機器５に送られた復号キーにより暗号化コンテンツ３を復号し（３）、暗号化コンテンツ３が削除される（４）とともに、コンテンツ１bが生成される（５）。これにより、記録再生機器５においてコンテンツを再生することができる。一方、携帯用コンテンツ再生機器１７においてはフォーマット変換されたコンテンツ２３が削除されているため、コンテンツを再生することができない。
【００３０】
図１５は、記録されたコンテンツを暗号化し携帯用コンテンツ再生機器１７にモバイル用コンテンツをコピーする処理の流れを示すフローチャート図である。ます、処理を開始すると（ステップＳ４１：ＳＴＡＲＴ）、ステップＳ４２において携帯用コンテンツ再生機器１７が記録再生機器５に接続されているか否かを判断する。Ｎの場合にはステップＳ４９に進み処理を終了する（ＥＮＤ）。Ｙでれば、ステップＳ４３に進み、コンテンツは
暗号化されていないか否かを判断する。コンテンツが暗号化されている場合には（Ｎ）ステップＳ４９に進み処理を終了し、コンテンツが暗号化されている場合には（Ｙ）ステップＳ４４に進む。ステップＳ４４においては、モバイル用のフォーマットに変換し、モバイル用のコンテンツを生成する。次いで、ステップＳ４５において、携帯用コンテンツ再生機器１７用のコンテンツを送信する。
【００３１】
この時点で、携帯用コンテンツ再生機器１７が処理を開始し（ステップＳ５０：ＳＴＡＲＴ）、ステップＳ５１においてモバイル用のコンテンツを受信する。ステップＳ５２において、このコンテンツを記録し、ステップＳ５３においてこのコンテンツから暗号化キーを作成する。次いで、ステップＳ５４において暗号化キーを記録再生機器５に送信し、処理を終了する（ステップＳ５５：ＥＮＤ）。
【００３２】
ステップＳ４６で暗号化キーを受け取った記録再生機器５は、ステップＳ４７においてコンテンツを暗号化し、ステップＳ４８において元のコンテンツを削除し、ステップＳ４９で処理を終了する。
【００３３】
図１６は、携帯用コンテンツ再生機器１７からコンテンツを削除し記録再生機器５に暗号化して記録されたコンテンツを復号する際の処理の流れを示すフローチャート図である。まず。ステップＳ６１において記録再生機器５の処理を開始し（ＳＴＡＲＴ）、ステップＳ６２において、携帯用コンテンツ再生機器１７が接続されているか否かを判定する。接続されていなければ（Ｎ）ステップＳ６８に進み処理を終了する（ＥＮＤ）。Ｙであれば、ステップＳ６３に進み、コンテンツが暗号化されているか否かを判定する。ステップＳ６４において、復号キーの要求を携帯用コンテンツ再生機器１７に送信する。携帯用コンテンツ再生機器１７では処理を開始し（ステップＳ６９：ＳＴＡＲＴ）、ステップＳ７０において復号キーを記録再生機器５から受信する。ステップＳ７１においてモバイル用コンテンツから復号キーを生成し、生成したキーを記録再生装置５に送り、ステップＳ７３においてモバイル用コンテンツを削除しステップＳ７４で処理を終了する。
【００３４】
ステップＳ６５において復号キーを受信した記録再生機器５は、ステップＳ６６において暗号化コンテンツを復号する。ステップＳ６７において暗号化されたコンテンツを削除し、ステップＳ６８に進む。
【００３５】
以上のようにして、コンテンツを記録再生機器５又は携帯用コンテンツ再生機器１７のいずれか一方で再生する処理を可逆的に継続して行なうことができる。
【００３６】
次に、本発明の第３の実施の形態によるコンテンツ管理技術について図面を参照しながら説明を行う。図９は、本実施の形態によるシステムの構成例を示す図である。図９に示すように、本実施の形態によるシステムにおいては、コンテンツ１を受信し（１）コンテンツ１を記録再生機器５の記録装置７に記録した後、携帯用コンテンツ再生機器１７用のコンテンツ２３をフォーマット変換により生成して送り（記憶再生装置５の記録装置７には、携帯用コンテンツ再生機器１７の固有のコードを利用して暗号化した暗号化コンテンツ３が残り、コンテンツ１ａは削除される（６））、記憶装置２１内にコンテンツ（情報）２３を格納する。これにより、携帯用コンテンツ再生機器１７においてコンテンツを再生することができる。
【００３７】
一方、図１０に示すように、暗号化コンテンツ３に基づいて記録再生装置５においてコンテンツを再生する場合には、携帯用コンテンツ再生機器１７の固有のコードを利用して生成した復号キーを記録再生装置５に送ると（１）、携帯用コンテンツ再生機器１７用のコンテンツ２３を削除される（２）。復号キーにより暗号化コンテンツ３が復号され（３）、暗号化コンテンツ３は削除される（４）。記録再生装置６においては、復号されたコンテンツ１ｂに基づいてコンテンツを再生することができる。
【００３８】
暗号化/復号化のための暗号システムとしては、公知の共通鍵暗号方式や公開鍵暗号方式が使用できる。暗号化/複合化のためのキーとして携帯用コンテンツ再生機器１７又はそれで使われている部品の固有番号（製造番号など）を利用することができる。
【００３９】
図１７は、記録されたコンテンツを暗号化し、携帯用コンテンツ再生機器１７にモバイル用コンテンツをコピーする際の処理の流れを示すフローチャート図である。図１７に示すように、まず、記録再生機器５において処理を開始し（ステップＳ８１：ＳＴＡＲＴ）、ステップＳ８１において携帯用コンテンツ再生機器１７が接続されているか否かを判断する。接続されていなければ（Ｎ）、ステップＳ８９に進む。接続されていれば（Ｙ）ステップＳ８３に進み、暗号化されていれば（Ｎ）ステップＳ８９に、暗号化されていなければ（Ｙ）ステップＳ８４に進む。ステップＳ８４において、携帯用コンテンツ再生機器１７用にフォーマット変換し、携帯用コンテンツ再生機器１７用コンテンツを作成する。ステップＳ８５において、このコンテンツを携帯用コンテンツ再生機器１７に送信する。携帯用コンテンツ再生機器１７では処理を開始し（ステップＳ９０）、ステップＳ９１においてこのコンテンツを受信する。ステップＳ９２においてこのコンテンツを記録し、ステップＳ９３において携帯用コンテンツ再生機器１７の固有のＩＤなどに基づいて暗号化キーを生成する。ステップＳ９４において暗号化キーを送信し、処理を終了する（ステップＳ９５：ＥＮＤ）。送信された暗号化キーを記録再生装置５においてステップＳ８６で受信し、ステップＳ８９でコンテンツを暗号化する。ステップＳ８８において元のコンテンツを削除し、ステップＳ８９に進む。
【００４０】
図１８は、携帯用コンテンツ再生機器１７からコンテンツを削除し記録機器に暗号化して記録されたコンテンツを復号化する時のフローチャート図である。図１８に示すように、記録再生装置５側で処理を開始し（ＳＴＡＲＴ：ステップ１０１）、ステップＳ１０２において携帯用コンテンツ再生機器１７が接続されているか否かを判断する。ステップＳ１０３において、携帯用コンテンツ再生機器１７が接続されていない場合には（Ｎ）、ステップＳ１０８に進み処理を終了する（ＥＮＤ）。Ｙの場合には、ステップＳ１０３に進み、コンテンツが暗号化されているか否かを判断する。暗号化されていなければ（Ｎ）、ステップＳ１０８に進む。暗号化されていれば（Ｙ）、ステップＳ１０４において、復号キーの送信を携帯用コンテンツ再生機器１７に対して要求する。携帯用コンテンツ再生機器１７は処理を開始しており（ステップＳ１０９）、ステップＳ１１０において復号キーの要求を受信し、ステップＳ１１１において携帯用コンテンツ再生機器１７の固有のＩＤに基づいて復号キーを生成する。ステップＳ１０２において生成した復号キーを記憶再生機器５に送信し、処理を終了する（ステップＳ１１４）。
【００４１】
記憶再生機器５においては、ステップＳ１０５において復号キーを受信し、ステップＳ１０６において暗号化コンテンツを復号する。ステップＳ１０７において暗号化コンテンツを削除し処理を終了する。
【００４２】
次に、本発明の第４の実施の形態によるコンテンツ管理技術について図面を参照しながら説明を行う。図１１は、本実施の形態によるコンテンツ管理システムの一構成例を示す図である。図１１に示すように、放送されたコンテンツ１を記録再生機器５において取得・記録した後（１、２）、暗号化/復号キーを生成しておき（３）、フォーマット変換を含む処理によりモバイル用のコンテンツを生成し、携帯用コンテンツ再生機器１７に格納する（４）。復号化キーも携帯用コンテンツ再生機器１７にコピーする（５）場合に、コンテンツ１ａと暗号化キーとに基づいて暗号化コンテンツ３を作成する（６）。また、コンテンツ１ａと暗号化/復号化キーは削除する（７）、（８）。この状態では、携帯用コンテンツ再生機器１７ではフォーマット変換されたコンテンツ３によりコンテンツを再生可能である。一方、記録再生装置５側では、復号化キーが存在しないため、コンテンツを再生できない。
【００４３】
図１２は、携帯用コンテンツ再生機器１７に記録された復号キーを使って、記録再生機器５に記録されている暗号化コンテンツ３を復号する処理を示した図であり、図１１に続く図である。図１２に示すように、携帯用コンテンツ再生機器１７の記憶装置２１に格納されている復号キーを記録再生機器５側に渡すと（１）、コンテンツ３と復号キーとが削除される（２、５）。記録再生装置５側では、復号キーに基づいて暗号化コンテンツ３が復号され（３）、暗号化コンテンツ３は削除される（４）。復号されたコンテンツ１ｂにより記録再生機器５においてコンテンツを再生することができる。
【００４４】
暗号化/復号化のための暗号システムとしては、公知の共通鍵暗号方式や公開鍵暗号方式が使用できる。暗号化/複合化のためのキーとして記録再生装置５で生成された乱数等を用いることができる。
【００４５】
図１９は、記録されたコンテンツを暗号化し携帯用コンテンツ再生機器１７にモバイル用コンテンツをコピーする処理の流れを示すフローチャート図である。図１９に示すように、まず、記録再生装置において、処理を開始し（ステップＳ１２１：ＳＴＡＲＴ）、ステップＳ１２２において携帯用コンテンツ再生機器１７が接続されているか否かを判断する。接続されていない場合には（Ｎ）、ステップＳ１３１に進み処理を終了する（ＥＮＤ）。Ｙの場合には、ステップＳ１２３に進み、コンテンツが暗号化されていないかどうかを確認する。コンテンツが暗号化されている場合には（Ｎ）ステップＳ１３１に進む。暗号化されていない場合には（Ｙ）ステップＳ１２４に進み、暗号化/復号のキーを生成する。ステップＳ１２５において、携帯用コンテンツ再生機器１７用のフォーマットに変換し、携帯用コンテンツ再生機器１７用のコンテンツを生成する。ステップＳ１２６において、生成したモバイル用のコンテンツを携帯用コンテンツ再生機器１７に送信する。携帯用コンテンツ再生機器１７においては処理を開始し（ステップＳ１３２）、ステップＳ１３３において、モバイル用のコンテンツを受信し、ステップＳ１３４においてコンテンツを記憶する。ステップＳ１２７で記録再生装置は復号キーを送信し、ステップＳ１４４において携帯用コンテンツ再生機器１７が復号キーを受信し、ステップＳ１４５において復号キーを記録し、ステップＳ１４６で処理を終了する。
【００４６】
ステップＳ１２８において、コンテンツを暗号化し、ステップＳ１２９において元のコンテンツを削除し、ステップＳ１３０において暗号化/復号キーを削除し、処理を終了する（ステップＳ１３１）。
【００４７】
図２０は、携帯用コンテンツ再生機器１７からコンテンツを削除し記録再生機器に暗号化して記録されたコンテンツを復号する際の処理の流れを示すフローチャート図である。図２０に示すように、まず、記録再生機器において、ステップＳ１５１で処理を開始し（ＳＴＡＲＴ）、ステップＳ１５２において携帯用コンテンツ再生機器１７が接続されているかを判定する。接続されていない場合には（Ｎ）ステップＳ１５８に進み処理を終了する（ＥＮＤ）。Ｙの場合には、ステップＳ１５３に進み、コンテンツが暗号化されているか否かを判定する。コンテンツが暗号化されていない場合には（Ｎ）ステップＳ１５８に進む。暗号化されている場合には（Ｙ）、ステップＳ１５４において携帯用コンテンツ再生機器１７に対して復号キーの要求を送信する。携帯用コンテンツ再生機器１７側では処理を開始し（ステップＳ１５９）、ステップＳ１６０において復号キーの要求を受信し、ステップＳ１６０において復号キーを記録再生機器５に対して送信する。ステップＳ１５５において復号キーを受信すると、ステップＳ１５６においてコンテンツを復号する。ステップＳ１５７において暗号化されたコンテンツを削除し、ステップＳ１５８に進む（ＥＮＤ）。
【００４８】
以上に説明したように、本発明の実施の形態によるコンテンツ管理技術によれば、デジタル放送のＤＲＭである、コピーワンスの精神を守りつつ、他の機器にコンテンツのコピーをすることができるという利点がある。また、モバイル機器では、大容量の記録装置を保持していないため、デジタル放送から送信され記録された高品質のコンテンツを、品質を落としてムーブする必要があった。そのため、コピーワンスの制限で一度ムーブしてしまうと高品質のコンテンツを元にもどすことができなかったが、本発明によりコンテンツを元に戻すことができるので、後になって元の高品質のコンテンツを楽しむことができるという利点がある。
【００４９】
また、モバイル機器用のコンテンツの記録をブリッジメディアにすることにより、モバイル機器へのコンテンツのムーブをする必要がなくなる、記録機器で再生する際に、元のコンテンツを暗号化したものと、モバイル機器用のコンテンツの両方を持たなくても済むなどの効果もある。
【産業上の利用可能性】
【００５０】
本発明はコンテンツ管理システムとして利用可能である。
【図面の簡単な説明】
【００５１】
【図１】本発明の第１の実施の形態によるコンテンツ管理技術の概要を示す図であり、放送されたコンテンツを記録機器に記録する時の処理の流れを概略的に示した図である。
【図２】記録機器に記録されている暗号化されたコンテンツを再生する時の処理の流れ概略的に示した図である。
【図３】モバイル用コンテンツが記録されたブリッジメディアをモバイル機器に挿入して再生する状況を示した図である。
【図４】記録機器に記録されている暗号化されたコンテンツを再生しようとするが、ブリッジメディアが挿入されていないため再生できない状況を示した図である。
【図５】本発明の第２の実施の形態によるコンテンツ管理システムの一構成例を示す図である。
【図６】携帯用コンテンツ再生機器に記録されたモバイル用コンテンツを再生する状況を示した図である。
【図７】記録再生機器の記憶装置内に格納されている暗号化コンテンツは暗号化されているため再生できない状況を示した図である。
【図８】携帯用コンテンツ再生機器に記録されているコンテンツから復号キーを生成し、記録再生機器に記録されている暗号化コンテンツを復号する際の処理の様子を示す図である。
【図９】本発明の第３の実施の形態によるコンテンツ管理システムの構成例を示す図である。
【図１０】暗号化コンテンツに基づいて記録再生装置においてコンテンツを再生する様子を示す図である。
【図１１】本発明の第４の実施の形態によるコンテンツ管理システムの一構成例を示す図である。
【図１２】携帯用コンテンツ再生機器に記録された復号キーを使って、記録再生機器に記録されている暗号化コンテンツを復号する処理を示した図であり、図１１に続く図である。
【図１３】記録されたコンテンツを暗号化しブリッジメディアに携帯型コンテンツ再生機器に書き込む時の処理の流れを示すフローチャート図である。
【図１４】暗号化され記録されたコンテンツを復号化し再生する時の処理の流れを示すフローチャート図である。
【図１５】暗号化され記録されたコンテンツを復号化し再生する時の処理の流れを示すフローチャート図である。
【図１６】携帯用コンテンツ再生機器からコンテンツを削除し記録再生機器に暗号化して記録されたコンテンツを復号する際の処理の流れを示すフローチャート図である。
【図１７】記録されたコンテンツを暗号化し、携帯用コンテンツ再生機器にモバイル用コンテンツをコピーする際の処理の流れを示すフローチャート図である。
【図１８】携帯用コンテンツ再生機器からコンテンツを削除し記録機器に暗号化して記録されたコンテンツを復号化する時のフローチャート図である。
【図１９】記録されたコンテンツを暗号化し携帯用コンテンツ再生機器にモバイル用コンテンツをコピーする処理の流れを示すフローチャート図である。
【図２０】携帯用コンテンツ再生機器からコンテンツを削除し記録再生機器に暗号化して記録されたコンテンツを復号する際の処理の流れを示すフローチャート図である。
【符号の説明】
【００５２】
１…放送コンテンツ、５…記録再生装置、７…記憶装置、１１…ブリッジメディア、１７…携帯用コンテンツ再生機器。
【図１】
2007128278.tif 000003
【図２】
2007128278.tif 000004
【図３】
2007128278.tif 000005
【図４】
2007128278.tif 000006
【図５】
2007128278.tif 000007
【図６】
2007128278.tif 000008
【図７】
2007128278.tif 000009
【図８】
2007128278.tif 000010
【図９】
2007128278.tif 000011
【図１０】
2007128278.tif 000012
【図１１】
2007128278.tif 000013
【図１２】
2007128278.tif 000014
【図１３】
2007128278.tif 000015
【図１４】
2007128278.tif 000016
【図１５】
2007128278.tif 000017
【図１６】
2007128278.tif 000018
【図１７】
2007128278.tif 000019
【図１８】
2007128278.tif 000020
【図１９】
2007128278.tif 000021
【図２０】
2007128278.tif 000022